(57)【要約】【課題】劣化コンクリート或いは、損傷したコンクリートを超高圧水発生装置で発生させた水を回転ノズルにてコンクリートに噴射しはつり取りまた廃水を回収し固形分を取り除いた水を再利用する装置を提供する。【解決手段】本発明は、超高圧水を発生するウォーターポンプと、超高圧水をコンクリートに回転ノズルで噴射する装置と、ウォーターポンプに清水を供給する給水車と、廃水や骨材を回収する装置と、回収した廃水を清水に濾過する分離装置からなる。【選択図】      なし【特許請求の範囲】
【請求項１】
劣化コンクリート或いは損傷したコンクリートをウォータージェット装置ではつり取る方法において従来の大水量かつ高圧ではなく、超高圧かつ小水量の水を噴射することを特徴とするはつり方法。
【請求項２】
コンクリートに噴射した使用済みの廃水を回収し、汚泥を取り除きウォータージェット装置で使える清水に濾過しかつ高密度の汚泥を再生土に再生する方法。
【請求項３】
給水車と、超高圧水発生装置と、高圧水をコンクリートに回転ノズルで噴射する装置と、廃水を回収する装置と、廃水を清水に浄化する装置を有効に運用する方法。
【発明の詳細な説明】
【０００１】
【発明が属する技術分野】
本発明は、コンクリートを超高圧水ではつり取る方法と、廃水を浄化する方法と、汚泥を再生土にする方法とに関するものである。
【０００２】
【従来の技術】
コンクリート構造物の補修を行う上で劣化コンクリート或いは損傷したコンクリートを取り除くことがどうしても必要になる、従来この作業はブレーカー等を用いて人力でまた油圧動力によるペッカーと呼ばれる油圧プレーカーが使われていた、いずれの方法も健全なコンクリートに傷をつけやすく、また内部の鉄筋にも傷をつけやすいうえ鉄筋の下部のはつりが不完全になりやすかった、さらに発生するはつり後のコンクリートは不ぞろいで大きいものは再度人力で細かく粉砕していた、それらの対策として近年ウォータージェット装置によるコンクリートのはつり方法が用いられているこの方法であれば健全部や鉄筋を傷つけず尚且つ除去後の補修の際の新旧コンクリートの付着性も良好である。
【０００３】
しかし、そのために導入されたウォータージェット装置は大水量（２００Ｌ／分）で高圧（１５０ＭＰａ）の装置で、使用する水量自体が多くリサイクルもままならない状態であり、圧力も超高圧ではないため、その施工精度が低くはつり面の不ぞろいと、鉄筋下のはつりが十分でなかった。
【０００４】
【発明が解決しようとする課題】
解決しようとする問題点は、ウォータージェット装置で劣化コンクリートあるいは損傷したコンクリートをはつり取る工法において、まわりの環境を壊さず環境にやさしい工法の確立を計るものである。
【０００５】
使用する水についても従来型は多量の水を必要としており、その調達に給水車をフル稼働させたり、また広いストックヤードが必要です、そしてその廃水運搬車が同じように必要となります。
【０００６】
本発明では上記の作業の煩雑さを、使用する水の量を減らし更に廃水を回収し再度、清水として活用してそれらを解決しようとするものです。
【０００７】
更に水をリサイクルして最終的に発生する汚泥については、古紙と混ぜ合わせて再生土として再利用を図るものです。
【０００８】
【課題を解決するための手段】
請求項１にかかわる発明は、劣化コンクリートあるいは損傷したコンクリートを、ウォータージェット装置を用いてはつることを特徴としている、従来の高圧水発生装置での吐出圧力を、超高圧発生装置を導入し２４５Ｍｐａまで上げることによりはつり能力、精度の向上を可能にした、また使用する水も２５Ｌ／分と小水量の設定としてある。
【０００９】
請求項２にかかわる発明は、劣化コンクリートあるいは損傷したコンクリートを、ウォータージェット装置を用いてはつる際の廃水を回収し、沈殿槽を用いてイオン隔膜にて固形分を取り除き、超高圧発生装置で使用できる清水に浄化することである。
【００１０】
請求項３にかかわる発明は、請求項２にかかわる発明を実施するのに必要な装置で超高圧水発生装置と、その超高圧水を回転ノズルでコンクリートに噴射するはつり装置と、最初に超高圧水発生装置に清水を提供するポンプ車と、噴射し終わった廃水を回収するバキューム装置と、回収した廃水をイオン隔膜にて固形分を取り除き超高圧水発生装置で使用できる清水に浄化する装置とを有することを特徴としている。
【００１１】
本発明で使用できる、ウォーターポンプ装置は、超高圧水を発生できる装置であればよい、例として、株式会社スギノマシーンの超高圧水発生ポンプユニット商品名Ｈｉ−Ｊｅｔ３０００、その超高圧水を回転ノズルでコンクリートに噴射するはつり装置としては、株式会社スギノマシーンの、商品名サイバージェットがある。
【００１２】
最初に超高圧水発生装置に清水を提供する給水車には、汎用されている２ｔ程度の給水車を使用する。廃水を回収するバキューム装置としては、汎用されている２００Ｖの電動掃除機または水中ポンプを使用する。
【００１３】
回収した廃水を浄化する装置としては、沈殿槽を用いてイオン隔膜にて固形分を取り除き、ウォーターポンプで使用できる清水に浄化することがきる装置、例として、中村建設株式会社の商品名改良型ミズコシタロウがある。汚泥を再生土とする装置としては色々な方法がある、例として、ボンテラン工法がある。
【００１４】
【発明の実施の形態】
図１はウォータージェット装置を利用して劣化コンクリート或いは、損傷したコンクリートをはつり取る方法において、まわりの環境を壊さず環境にやさしい工法の形態図である。作業順に、給水車１にて超高圧水発生ポンプユニット２に清水を供給します、超高圧水発生ポンプユニット２で発生させた超高圧水を、はつり装置３に送りその回転ノズルでコンクリートに超高圧水を、噴射する。そのはつりの際に発生する骨材、細骨材、汚泥、廃水を、電動掃除機４と水中ポンプ５で回収し、骨材、細骨材、はダンプ車等でコンクリート塊再生工場へ搬出する、汚泥、廃水は、沈殿槽を用いてイオン隔膜にて固形分を取り除き、ウォーターポンプで使用できる清水に浄化することができる浄化装置６で浄化し、固形物として残った汚泥は古紙と混ぜ合わせて再生土として再利用を計るボンテラン工法装置へ搬出し、浄化した水は超高圧水発生ポンプユニット２に清水として供給し、一つのサイクルとなる、なお浄化水のロス分は給水車１にて適時補給していく。
【００１５】
この装置の形態によると、ウォータージェット装置を利用して劣化コンクリート或いは、損傷したコンクリートをはつり取る方法において発生する骨材、細骨材、汚泥、廃水はそれぞれコンクリート塊再生工場、再生土として再利用を計るボンテラン工法装置、イオン隔膜にて固形分を取り除き超高圧水発生装置で使用できる清水に浄化する装置に送り込まれ、まわりの環境を壊さず環境にやさしい工法の確立を計れるものである。
【００１６】
【発明の効果】
以上説明したように本発明の請求項１によれば、ウォータージェット装置を利用して劣化コンクリート或いは、損傷したコンクリートをはつり取る方法において使用する水の絶対量を激減しはつりの精度も飛躍的に向上する。
【００１７】
更に請求項２請求項３によれば、廃水を再利用できる清水に浄化でき、最終処分物である汚泥は、古紙と混ぜ合わせて再生土とすることが出来るため環境を損なうことなく、ウォータージェット装置を利用できるものである。
【図面の簡単な説明】
【図１】コンクリート構造物のウォータージェット装置による環境にやさしいはつり方法の方法を示した説明図である。
【符号の説明】
１    給水車
２    超高圧水発生装置
３    はつり装置
４    バキューム装置
５    浄化する装置
６    再生土として再利用を計る装置
【図１】
2004345142.tif 000002